(57)【要約】【課題】  服等の布地の両面への昇華印刷を複雑な作業を行うことなく比較的簡単な作業で行うことができる布地への両面昇華印刷方法の提供。【解決手段】  布地供給ローラから布地２を移動させつつ表面および裏面に印刷時のインクの滲みを防止するための前処理液を塗布し、前処理液が塗布された布地の表面に第１のプリントヘッドの昇華性インクによる所定の印刷パターンを形成し、表面に印刷パターンが形成された布地を移動させつつ搬送ローラの配置により表面と裏面の向きを逆にして前記布地の裏面を印刷面とし、裏面を印刷面とした布地に第２のプリントヘッドの昇華性インクによる所定の印刷パターンを形成し、昇華性インクを乾燥させ、昇華性インクが乾燥した布地の表面および裏面を所定温度に加熱して発色させ、表面で発色した布地を布地巻取ローラで巻き取るようにした。【選択図】図２
2019052406.tif 000002
【特許請求の範囲】
【請求項１】
長尺に形成された布地を巻き取って収納した布地供給ローラから該布地を移動させつつ表面に印刷時のインクの滲みを防止するための前処理液を塗布する第１の前処理液塗布工程と、
前記前処理液が塗布された前記布地の表面に昇華性インクによる所定の印刷パターンを形成する第１の昇華性インク印刷工程と、
前記表面に印刷パターンが形成された前記布地を移動させつつ昇華性インクを乾燥させる第１の昇華性インク乾燥工程と、
前記昇華性インクが乾燥した前記布地の表面を所定温度に加熱して発色させる第１の加熱発色工程と、
前記表面で発色した前記布地を布地巻取ローラで巻き取る第１の布地巻取工程と、
前記布地を巻き取った前記布地巻取ローラの軸の向きを逆にして前記布地の裏面を印刷面として前記布地供給ローラの位置に配置する布地巻取ローラ再配置工程と、
該布地を移動させつつ前記裏面に前記前処理液を塗布する第２の前処理液塗布工程と、
前処理液が塗布された前記布地の裏面に昇華性インクによる所定の印刷パターンを形成する第２の昇華性インク印刷工程と、
前記印刷パターンが形成された前記布地を移動させつつ前記裏面の昇華性インクを乾燥させる第２の昇華性インク乾燥工程と、
前記昇華性インクが乾燥した前記布地の裏面を所定温度に加熱して発色させる第２の加熱発色工程と、
前記裏面が発色した前記布地を布地巻取ローラで巻き取る第２の布地巻取工程と、
からなることを特徴とする布地への両面昇華印刷方法。
【請求項２】
１つの昇華印刷装置内に２つのプリントヘッドを設け該２つのプリントヘッドを用いて表面と裏面を同時に昇華印刷する両面昇華印刷方法であって、
長尺に形成された布地を巻き取って収納した布地供給ローラから該布地を移動させつつ表面および裏面に印刷時のインクの滲みを防止するための前処理液を塗布する前処理液塗布工程と、
前記前処理液が塗布された前記布地の表面に第１のプリントヘッドの昇華性インクによる所定の印刷パターンを形成する第１の昇華性インク印刷工程と、
前記表面に印刷パターンが形成された前記布地を移動させつつ搬送ローラの配置により表面と裏面の向きを逆にして前記布地の裏面を印刷面とする印刷面転換工程と、
前記裏面を印刷面とした前記布地に第２のプリントヘッドの昇華性インクによる所定の印刷パターンを形成する第２の昇華性インク印刷工程と、
昇華性インクを乾燥させる昇華性インク乾燥工程と、
前記昇華性インクが乾燥した前記布地の表面および裏面を所定温度に加熱して発色させる加熱発色工程と、
前記表面および裏面で発色した前記布地を布地巻取ローラで巻き取る布地巻取工程と、
からなることを特徴とする布地への両面昇華印刷方法。
【請求項３】
布地供給ローラと前処理液塗布装置とプリントヘッドと印刷面を上下転換する搬送ローラと乾燥装置と布地巻取ローラとを備えた同じ型式の昇華印刷装置を２台並べて対向して配置し、
一方の昇華印刷装置の前処理液塗布装置の電源をＯＮとして布地の表面にプリントヘッドで印刷し、布地の表面に印刷した布地の表裏の方向を搬送ローラで逆にし、乾燥装置の機能電源をＯＦＦとして布地巻取ローラで巻き取らずに布地を他方の昇華印刷装置に送り、
他方の昇華印刷装置の布地供給ローラを介さずに前処理液塗布装置の機能電源をＯＦＦとして布地の裏面にプリントヘッドで印刷し、乾燥装置の機能電源をＯＮとして印刷した布地を乾燥させ、布地巻取ローラで巻き取るようにしたことを特徴とする布地への両面昇華印刷方法。
【発明の詳細な説明】
【技術分野】
【０００１】  本発明は、布地への両面昇華印刷方法に関し、特に、服等の布地の両面への昇華印刷を簡単な作業で行うことができるようにした布地への両面昇華印刷方法に関する。【０００２】  フラッグ広告等の布地に画像を印刷する方法として、例えば、特許文献１に示されるように、昇華性染料、分散剤、溶媒、界面活性剤、水からなるインクジェット用インクをインクジェットヘッドで、紙や塩化ビニルシートなどの転写紙（台紙）にまず画像を形成し、この画像が形成された転写紙を布地に熱転写し、布地に画像を成形する昇華転写型インクジェット昇華印刷方法がある。【０００３】  しかしながら、この方法によると、転写紙を使用するので、コストがかかり、また転写する画像が布地側にきれいに転写されにくく、色移りが悪かったり、裏抜けが多かったりして布地とは反対側に配置した搬送ローラを汚すという問題がある。【０００４】  このため、例えば、特許文献２に示されるように、昇華性染料を含むインクジェット用インクを、直接、インクジェットヘッドによって布地に印刷し画像を形成する方法（以下、ダイレクト昇華インクジェット印刷方法という）が提案されている。【０００５】  この方法によれば、色強度および鮮やかさを明白に高めることができ、耐こすれ性および堅牢性を高め、かつ均質な色が得られる、とされている。
【先行技術文献】
【特許文献】
【０００６】
【特許文献１】特開平９−３００６７３号公報
【特許文献２】特表２０００−５１１９５４号公報
【発明の概要】
【発明が解決しようとする課題】
【０００７】  しかしながら、特許文献２に示すダイレクト昇華インクジェット印刷方法は、フラッグやサイン広告等への片面の印刷を想定したものであり、例えば、服等の布地の両面への昇華印刷を行うことができないという問題があった。【０００８】  従って、本発明の目的は、服等の布地の両面への昇華印刷を簡単な作業で行うことができる布地への両面昇華印刷方法を提供することにある。
【課題を解決するための手段】
【０００９】  上記の目的を達成するため、本発明では、長尺に形成された布地を巻き取って収納した布地供給ローラから該布地を移動させつつ表面に印刷時のインクの滲みを防止するための前処理液を塗布する第１の前処理液塗布工程と、前記前処理液が塗布された前記布地の表面に昇華性インクによる所定の印刷パターンを形成する第１の昇華性インク印刷工程と、前記表面に印刷パターンが形成された前記布地を移動させつつ昇華性インクを乾燥させる第１の昇華性インク乾燥工程と、前記昇華性インクが乾燥した前記布地の表面を所定温度に加熱して発色させる第１の加熱発色工程と、前記表面で発色した前記布地を布地巻取ローラで巻き取る第１の布地巻取工程と、前記布地を巻き取った前記布地巻取ローラの軸の向きを逆にして前記布地の裏面を印刷面として前記布地供給ローラの位置に配置する布地巻取ローラ再配置工程と、該布地を移動させつつ前記裏面に前記前処理液を塗布する第２の前処理液塗布工程と、前処理液が塗布された前記布地の裏面に昇華性インクによる所定の印刷パターンを形成する第２の昇華性インク印刷工程と、前記印刷パターンが形成された前記布地を移動させつつ前記裏面の昇華性インクを乾燥させる第２の昇華性インク乾燥工程と、前記昇華性インクが乾燥した前記布地の裏面を所定温度に加熱して発色させる第２の加熱発色工程と、前記裏面が発色した前記布地を布地巻取ローラで巻き取る第２の布地巻取工程と、からなることを特徴とする布地への両面昇華印刷方法を提供するものである。【００１０】  また、上記の目的を達成するため、本発明では、１つの昇華印刷装置内に２つのプリントヘッドを設け該２つのプリントヘッドを用いて表面と裏面を同時に昇華印刷する両面昇華印刷方法であって、長尺に形成された布地を巻き取って収納した布地供給ローラから該布地を移動させつつ表面および裏面に印刷時のインクの滲みを防止するための前処理液を塗布する前処理液塗布工程と、前記前処理液が塗布された前記布地の表面に第１のプリントヘッドの昇華性インクによる所定の印刷パターンを形成する第１の昇華性インク印刷工程と、前記表面に印刷パターンが形成された前記布地を移動させつつ搬送ローラの配置により表面と裏面の向きを逆にして前記布地の裏面を印刷面とする印刷面転換工程と、前記裏面を印刷面とした前記布地に第２のプリントヘッドの昇華性インクによる所定の印刷パターンを形成する第２の昇華性インク印刷工程と、昇華性インクを乾燥させる昇華性インク乾燥工程と、前記昇華性インクが乾燥した前記布地の表面および裏面を所定温度に加熱して発色させる加熱発色工程と、前記表面および裏面で発色した前記布地を布地巻取ローラで巻き取る布地巻取工程と、からなることを特徴とする布地への両面昇華印刷方法を提供するものである。【００１１】  上記の目的を達成するため、本発明では、布地供給ローラと前処理液塗布装置とプリントヘッドと印刷面を上下転換する搬送ローラと乾燥装置と布地巻取ローラとを備えた同じ型式の昇華印刷装置を２台並べて対向して配置し、一方の昇華印刷装置の前処理液塗布装置の電源をＯＮとして布地の表面にプリントヘッドで印刷し、布地の表面に印刷した布地の表裏の方向を搬送ローラで逆にし、乾燥装置の機能電源をＯＦＦとして布地巻取ローラで巻き取らずに布地を他方の昇華印刷装置に送り、他方の昇華印刷装置の布地供給ローラを介さずに前処理液塗布装置の機能電源をＯＦＦとして布地の裏面にプリントヘッドで印刷し、乾燥装置の機能電源をＯＮとして印刷した布地を乾燥させ布地巻取ローラで巻き取るようにしたことを特徴とする布地への両面昇華印刷方法を提供するものである。
【発明の効果】
【００１２】  本発明によれば、布地の表面に前処理液を塗布し、前処理液が塗布された布地の表面に昇華性インクによる印刷パターンを形成し、印刷パターンが形成された布地の昇華性インクを乾燥させ、昇華性インクが乾燥した布地の表面を所定温度に加熱して発色させ、発色した布地を巻き取り、この巻き取った布地の表裏を逆にし、表面の印刷が終わった巻き取りローラのローラを、布地供給ローラに逆にセットして、今度は逆になった布地の裏面に対して、上記と同様の前処理液の塗布、印刷パターンの形成、乾燥、発色を行って巻き取るようにしたので、服等の布地の両面への昇華印刷を複雑な作業を行うことなく比較的簡単な作業で行うことができる。【００１３】  また、本発明によれば、１つの昇華印刷装置内に２つのプリントヘッドを設け、布地供給ローラから布地を移動させつつ表面および裏面に印刷時のインクの滲みを防止するための前処理液を塗布し、前処理液が塗布された布地の表面に第１のプリントヘッドの昇華性インクによる所定の印刷パターンを形成し、表面に印刷パターンが形成された布地を移動させつつ搬送ローラの配置により表面と裏面の向きを逆にして前記布地の裏面を印刷面とし、裏面を印刷面とした布地に第２のプリントヘッドの昇華性インクによる所定の印刷パターンを形成し、昇華性インクを乾燥させ、昇華性インクが乾燥した布地の表面および裏面を所定温度に加熱して発色させ、表面で発色した布地を布地巻取ローラで巻き取るようにしたので、布地巻取ローラで巻き取った時には既に両面に昇華印刷が施されているため、ワンストップで済み、作業的にも簡略化できかつコスト的にも低く抑えることができる。【００１４】  また、本発明によれば、布地供給ローラと前処理液塗布装置とプリントヘッドと印刷面を上下転換する搬送ローラと乾燥装置と布地巻取ローラとを備えた同じ型式の昇華印刷装置を２台並べて対向して配置し、一方の昇華印刷装置の前処理液塗布装置の電源をＯＮとして布地の表面にプリントヘッドで印刷し、布地の表面に印刷した布地の表裏の方向を搬送ローラで逆にし、乾燥装置の機能電源をＯＦＦとして布地巻取ローラで巻き取らずに布地を他方の昇華印刷装置に送り、他方の昇華印刷装置の布地供給ローラを介さずに前処理液塗布装置の機能電源をＯＦＦとして布地の裏面にプリントヘッドで印刷し、乾燥装置の機能電源をＯＮとして印刷した布地を乾燥させ布地巻取ローラで巻き取るようにしたので、２台の昇華印刷装置に特段の改良や仕様変更を行うことなく、機能電源のＯＮ、ＯＦＦを対称にセットするだけで、直ちに両面昇華印刷を実現することができ、２台の昇華印刷装置の内１台が故障した場合も、予備の昇華印刷装置が１台あれば、直ちにバックアップが出来、稼働率を下げることなく実現する。また、２台の昇華印刷装置を利用することで、コストパフォーマンスが上がりメンテナンスや稼働率を上げることが出来る。
【図面の簡単な説明】
【００１５】
【図１】本発明の実施の形態に係る布地への両面昇華印刷方法が適用される両面昇華印刷装置の概念図である。
【図２】第２の実施の形態に係る布地への両面昇華印刷方法が適用される両面昇華印刷装置の概念図である。
【図３】第３の実施の形態に係る布地への両面昇華印刷方法が適用される両面昇華印刷装置の概念図である。
【図４】第３の実施の形態の変形例を示す概念図である。
【発明を実施するための形態】
【００１６】  以下、本発明を実施するための形態を添付図面に基づいて詳細に説明する。
＜第１の実施の形態＞
図１は、本発明の第１の実施の形態に係る布地への両面昇華印刷方法が適用される両面昇華印刷装置の概念図である。
【００１７】  図１に示すように、両面昇華印刷装置１は、ダイレクト昇華インクジェット印刷方式を用いたものであり、布地２を巻き取って収納した布地供給ローラ１０と、布地供給ローラ１０から送出される布地２に印刷した際にインクの滲みが出ないようにするための前処理液を塗布する前処理液塗布装置１１と、駆動ローラ１２ａ，１２ｂと、搬送ローラ１６で搬送される布地２の表面に昇華性インクを塗布して印刷するプリントヘッド１３と、プリントヘッド１３で印刷された布地２を加熱乾燥させるヒータ１４と、加熱乾燥された布地２を巻き取る布地巻取ローラ１５と、布地２を搬送する搬送ローラ１６（１６ａ，１６ｂ，１６ｃ，１６ｄ，１６ｅ）と、から構成されている。
【００１８】  以上の構成において、布地２の素材としては、ポリエステルやナイロン以外に、綿、絹、羊毛、アセテート、レーヨン、ポリプロピレン、ビニロン、アクリル系繊維等の繊維素材が挙げられるが、これらに限られるものではなく、これらの混紡、交織物、不織布等であっても良い。また、布地２を構成する糸の太さとしては１０〜１５０デニールの範囲が望ましい。また、布地２の厚さは、０．５ミリ以上であることが望ましい。
【００１９】  また、ここで用いる昇華性染料インクとしては、水溶性溶媒中に微細な昇華性染料を分散させたインクを用いる。なお、分散された染料微粒子の凝集を防止するために、界面活性剤等の分散安定剤を使用している。また、インクは、減色法の３原色（Ｃ（シアン）、Ｍ（マゼンタ）、Ｙ（イエロー））を組み合わせて使用することが好ましく、必要に応じてＫ（ブラック）を併用しても良い。
【００２０】  また、Ｙ（イエロー）を一色とし、Ｍ（マゼンタ）およびＣ（シアン）を濃淡二色として使用しても良く、Ｋ（ブラック）の色はＣＭＹ３色を混合することで形成しても良いし、別途、Ｋ（ブラック）１色を用意しても良い。
【００２１】  昇華性染料としては多くの分散染料、一部の油溶性染料及び一部の塩基性染料を使用することができる。本実施形態で用いる染料は、熱安定性の良いことが求められるため、非イオン性の分散染料が好ましい。
【００２２】  前処理液塗布装置１１で用いられる前処理液としては、糊剤を含有するものが望ましい。このような前処理液を布地２に含浸させることにより、インクのにじみが防止され鮮明な画像を形成することができる。糊剤としては、カルボキシメチルセルロース，ヒドロキシエチルセルロース、デンプン質、アルギン酸ナトリウム、ポリビニルアルコール等が例示できる。また、これらには、シリコン系添加剤、リン酸塩類及び還元防止剤のうち少なくとも一種を含有していてもよい。
【００２３】  プリントヘッド１３は、ピエゾ素子で駆動されるインクジェットノズル（図示せず）を備え所定色の昇華性インクで布地２に印刷する。
【００２４】  ヒータ１４は、遠赤外線ヒータを備え、昇華性インクで印刷された布地２を加熱して乾燥させる。
【００２５】  ヒータ１４の加熱温度は、例えば、ポリエステルの場合は、１７０〜１８０℃の範囲が最適であり、ナイロンの場合は、１５０〜１６０℃が最適である。布地の種類により適宜設定変更が可能である。
【００２６】  布地巻取ローラ１５は、所定の模様等が昇華印刷された状態の布地２を巻き取る。
【００２７】  図１を参照しながら、この両面昇華印刷装置１を用いた布地２への両面昇華印刷方法を説明する。
まず、布地２を巻き取っている布地供給ローラ１０から布地２を取り出し、駆動ローラ１２ａ，１２ｂを駆動させて搬送ローラ１６に載せて前処理液塗布装置１１に送る。送られて来た布地２の片面に前処理液塗布装置１１で前処理液を塗布する。
【００２８】  前処理液が塗布された布地２を駆動ローラ１２ａ，１２ｂによってプリントヘッド１３に搬送し、プリントヘッド１３で昇華性インクを布地２の表面に印刷する。
【００２９】  昇華性インクが印刷された布地２はプリントヘッド１３の昇華インクの吐出タイミングにあわせて間欠的にヒータ１４の方向に移動して行き、ヒータ１４の位置に来たら布地２が加熱されその表面を乾燥させ、それにより昇華性インクが発色し、布地２を印刷する。
【００３０】  昇華性インクが発色して印刷された布地２は、布地巻取ローラ１５で巻き取られる。以上により、布地２の表面への印刷が終了する。
【００３１】  そして、表面への印刷が終了し布地２を巻き取った布地巻取ローラ１５を取り出し、布地巻取ローラ１５の軸の向きを逆にして前記布地の他面を印刷面として布地供給ローラ１０の位置に配置する（布地２の表裏を逆にして、そのまま布地供給ローラ１０の位置に配置する）。
【００３２】  そして、布地供給ローラ１０の位置に配置された布地巻取ローラ１５から布地２の裏面を取り出し、上述の表面への昇華印刷と同じ工程で、駆動ローラ１２ａ，１２ｂおよび搬送ローラ１６で布地２を搬送し、布地２の裏面に前処理液塗布装置１１で前処理液を塗布し、プリントヘッド１３で昇華性インクを裏面に印刷し、ヒータ１４の位置に来たら布地２の裏面を乾燥させ発色させ、布地巻取ローラ１５で巻き取る。
【００３３】  これにより、布地２の両面への昇華印刷を複雑な作業を行うことなく簡単な作業で行うことができる。
【００３４】＜第２の実施の形態＞
図２は、本発明の第２の実施の形態に係る布地への両面昇華印刷方法が適用される両面昇華印刷装置の概念図である。
【００３５】  第１の実施の形態と同じ内容については同じ番号を付したので重複する説明は省略するが、第２の実施の形態では、第１の実施の形態と異なり、１つの装置内に２つのプリントヘッドを設けこの２つのプリントヘッドを用いて表面と裏面を同時に昇華印刷するようにしている。
【００３６】  即ち、第２の実施の形態における両面昇華印刷装置１は、布地２を巻き取って収納した布地供給ローラ１０と、布地供給ローラ１０から送出される布地２に前処理液を塗布する前処理液塗布装置１１と、布地２を搬送するために駆動させる駆動ローラ１２ａ，１２ｂと、搬送ローラ１６（１６ａ，１６ｂ，１６ｃ，１６ｄ，１６ｅ）と、搬送される布地２の表面に昇華性インクを塗布して印刷するプリントヘッド１３Ａと、印刷後に搬送ローラ１６ｂ，１６ｃで搬送され上方向となった布地２の裏面に昇華性インクを塗布して印刷するプリントヘッド１３Ｂと、プリントヘッド１３Ａ，１３Ｂで印刷された布地２を表面および裏面の両方向から加熱乾燥させるヒータ１４Ａ，１４Ｂと、加熱乾燥された布地２を巻き取る布地巻取ローラ１５（図示せず）と、から構成されている。
【００３７】  図２を参照しながら、第２の実施の形態の動作を説明すると、まず、布地２を巻き取っている布地供給ローラ１０から布地２を取り出し、前処理液塗布装置１１に送り、送られて来た布地２の表面に前処理液を塗布し、この前処理液が塗布された布地２を搬送ローラ１６ａによってプリントヘッド１３Ａに搬送し、プリントヘッド１３Ａで昇華性インクを布地２の表面に印刷する。ここまでは、第１の実施の形態と同じ工程である。
【００３８】  第２の実施の形態では、昇華性インクが印刷された布地２はプリントヘッド１３Ａの昇華インクの吐出タイミングにあわせて間欠的に搬送方向に移動して行き、搬送ローラ１６ｂのところに着たら、搬送ローラ１６ｂで水平方向の搬送を垂直方向の搬送に変え、続いて，搬送ローラ１６ｃのところにきたら、今度は、上記の布地２の搬送方向とは逆向きの水平方向の搬送に変える。このことにより、プリントヘッド１３Ａで印刷された布地２の表面が下方向を向く（従って、裏面が上方向に向くことになる）。
【００３９】  そして、上方向を向いた布地２の裏面にプリントヘッド１３Ｂで昇華性インクを塗布して印刷する。昇華性インクが印刷された布地２はプリントヘッド１３Ｂの昇華インクの吐出タイミングにあわせて駆動ローラ１２ａ，１２ｂと搬送ローラ１６ｄ，１６ｅ，１６ｆによって間欠的に搬送方向に移動して行き、ヒータ１４Ａ，１４Ｂの位置に来たら布地２が表裏から加熱されて表面および裏面ともに乾燥させ、それにより昇華性インクが発色し、布地２を印刷する。
【００４０】  昇華性インクが発色して印刷された布地２は、布地巻取ローラ１５（図示せず）で巻き取られる。以上により、布地２の表面および裏面への両面同時印刷が終了する。
【００４１】  第１の実施の形態と比較すると、第２の実施の形態では、布地巻取ローラ１５で巻き取った時には既に両面に昇華印刷が施されているため、ワンストップで済み、作業的にも簡略化できかつコスト的にも低く抑えることができる。
【００４２】＜第３の実施の形態＞
図３は、本発明の第３の実施の形態に係る布地への両面昇華印刷方法が適用される両面昇華印刷装置の概念図である。
【００４３】  第２の実施の形態と同じ内容については同じ番号を付したので重複する説明は省略するが、第３の実施の形態では、第２の実施の形態と異なり、２つの昇華印刷装置５０、６０を用いて表面と裏面をそれぞれ別の昇華印刷装置で印刷することにより両面昇華印刷するようにしている。
【００４４】  即ち、第３の実施の形態における両面昇華印刷装置１は、第１の昇華印刷装置５０と、布地２の裏面に昇華印刷を行う第２の昇華印刷装置６０と、の２つの昇華印刷装置からなる。
【００４５】  第１の昇華印刷装置５０は、布地２を巻き取って収納した布地供給ローラ１０と、布地供給ローラ１０から送出される布地２に前処理液を塗布する前処理液塗布装置１１と、布地２を搬送するために駆動させる駆動ローラ１２ａ，１２ｂと、布地２を搬送する搬送ローラ１６（１６ａ，１６ｂ，１６ｃ）と、搬送ローラ１６ａで搬送されてくる布地２の表面に昇華性インクを塗布して印刷するプリントヘッド１３Ａからなる。
【００４６】  第２の昇華印刷装置６０は、第１の昇華印刷装置５０の搬送ローラ１６ｂ、１６ｃで表裏（上下）逆になった布地２を第２の昇華印刷装置６０に導入して搬送する駆動ローラ１２ｃ，１２ｄおよび搬送ローラ１６ｄ，１６ｅ，１６ｆと、その布地２の裏面に昇華性インクを塗布して印刷するプリントヘッド１３Ｂと、プリントヘッド１３Ａ，１３Ｂで印刷された布地２を表面および裏面の両方向から加熱乾燥させるヒータ１４Ａ，１４Ｂと、加熱乾燥された布地２を巻き取る布地巻取ローラ１５と、から構成されている。
【００４７】  第２の実施の形態と第３の実施の形態では、前述したように、第１の昇華印刷装置５０と、第２の昇華印刷装置６０との２つの昇華印刷装置から構成した点において異なるのみで、基本的な動作においては、第３の実施の形態の動作は第２の実施の形態と変わるところはない。
【００４８】  即ち、第３の実施の形態では、まず、第１の昇華印刷装置５０において、布地２を巻き取っている布地供給ローラ１０から布地２を取り出し、駆動ローラ１２ａ，１２ｂを駆動させて前処理液塗布装置１１に送り、送られて来た布地２の表面に前処理液を塗布し、この前処理液が塗布された布地２を搬送ローラ１６ａによってプリントヘッド１３Ａに搬送し、プリントヘッド１３で昇華性インクを布地２の表面に印刷する。
【００４９】  昇華性インクが印刷された布地２はプリントヘッド１３Ａの昇華インクの吐出タイミングにあわせて間欠的に搬送方向に移動して行き、搬送ローラ１６ｂのところにきたら、駆動ローラ１２ａ，１２ｂを介して搬送ローラ１６ｂで水平方向の搬送を垂直方向の搬送に変え、続いて、搬送ローラ１６ｃのところにきたら、今度は、上記の布地２の搬送方向とは逆向きの水平方向の搬送に変える。このことにより、プリントヘッド１３Ａで印刷された布地２の表面が下方向を向く（従って、裏面が上方向に向くことになる）。
【００５０】  そして、上方向を向いた布地２を、第２の昇華印刷装置に送り、搬送ローラ１６ｄ、１６ｅによってプリントヘッド１３Ｂまで搬送し、布地２の裏面にプリントヘッド１３Ｂで昇華性インクを塗布して印刷する。
【００５１】  昇華性インクが印刷された布地２はプリントヘッド１３Ｂの昇華インクの吐出タイミングにあわせて搬送ローラ１６ｆによって間欠的に駆動ローラ１２ｃ，１２ｄを介して搬送方向に移動して行き、ヒータ１４Ａ，１４Ｂの位置に来たら布地２が表裏から加熱されて表面および裏面ともに乾燥させ、それにより昇華性インクが発色し、布地２を印刷する。
【００５２】  昇華性インクが発色して印刷された布地２は、布地巻取ローラ１５で巻き取られる。以上により、布地２の表面および裏面への両面同時印刷が終了する。
【００５３】  このように、第３の実施の形態によれば、第１の昇華印刷装置５０と、第２の昇華印刷装置６０との２つの昇華印刷装置から構成したことから、装置が大型化するのを防ぐことができる。もちろん、第２の実施の形態と同じように、布地巻取ローラ１５で巻き取った時には既に両面に昇華印刷が施されているため、ワンストップで済み、作業的にも簡略化できかつコスト的にも低く抑えることができるという効果を奏する。
【００５４】  図４は、第３の実施の形態の変形例に係る布地への両面昇華印刷方法が適用される両面昇華印刷装置の概念図である。
図に示すように、同じ型式の昇華印刷装置（布地供給ローラ、前処理液塗布装置、プリントヘッド、駆動ローラ、印刷面を上下転換する搬送ローラ、ヒータ、布地巻取ローラ、を備えたもの）を２台並べて対向して配置し、一方の昇華印刷装置５０の標準機能のうち前処理液塗布装置１１の機能電源をＯＮ、ヒータ１４Ａ，１４Ｂの機能電源をＯＦＦとして布地２の表面にプリントヘッド１３Ａで印刷し、印刷した布地２を２つの搬送ローラ１６ｂ，１６ｃと駆動ローラ１２ａ，１２ｂで表裏の方向を逆にし、布地巻取ローラ１５で巻き取らずにそのまま他方の昇華印刷装置６０に送り、他方の昇華印刷装置６０では、搬送ローラ１６ｄ，１６ｅ，１６ｆと駆動ローラ１２ｃ，１２ｄで布地２を搬送しつつ、その標準設備のうち、布地供給ローラ１０を介さずに前処理液塗布装置１１の機能電源をＯＦＦとしてプリントヘッド１３Ｂで布地２の裏面に印刷し、ヒータ１４Ａ，１４Ｂの機能電源をＯＮとして布地２を乾燥させ、布地巻取ローラ１５で巻き取る。
【００５５】  このように２台の昇華印刷装置５０，６０の機能電源をそれぞれ対称にＯＮとＯＦＦがセットになるように連動させるようにすることで、また、標準設備のうち前処理塗布装置１１や布地巻取ローラ１５をＯＮ、ＯＦＦして使い分けることにより、２台の昇華印刷装置５０，６０に特段の改良や仕様変更を行うことなく、機能電源のＯＮ、ＯＦＦを対称にセットするだけで、直ちに両面昇華印刷を実現することができる。
【００５６】  また、２台の昇華印刷装置５０，６０のうち１台が故障した場合も、予備の昇華印刷装置が１台あれば、直ちにバックアップが出来、稼働率を下げることなく実現する。
【００５７】  このように、２台の昇華印刷装置を利用することで、コストパフォーマンスが上がりメンテナンスや稼働率を上げることが出来る。
【符号の説明】
【００５８】１  両面昇華印刷装置
２  布地
１０  布地供給ローラ
１１  前処理液塗布装置
１２，１２ａ，１２ｂ，１２ｃ，１２ｄ  駆動ローラ
１３  １３Ａ，１３Ｂ  プリントヘッド
１４  １４Ａ，１４Ｂ  ヒータ
１５  布地巻取ローラ
１６，１６ａ，１６ｂ，１６ｃ，１６ｄ，１６ｆ  搬送ローラ
５０  第１の昇華印刷装置
６０  第２の昇華印刷装置
【図１】
2019052406.tif 000003
【図２】
2019052406.tif 000004
【図３】
2019052406.tif 000005
【図４】
2019052406.tif 000006